(57)【要約】【課題】受信状態がおおむね良好になった場合に視聴覚コンテンツ再生モードからテレビ視聴モードに移行するとともに、再生中の視聴覚コンテンツの途中で上記のモードが切替わることを防止すること。【解決手段】受信状態監視手段１３１によって検出される受信信号の受信状態から受信率算出手段１３２によって受信エラー出現率を算出し、受信エラー出現率が所定値か否かを判断する。また、視聴覚コンテンツ再生監視手段１３３によって視聴覚コンテンツの再生状態を監視し、再生終了時を視聴覚コンテンツ再生モードからテレビ視聴モードへの復帰タイミングとする。これによって、受信状態がおおむね良好な状態を識別するとともに、再生中の視聴覚コンテンツの途中でモードが切替わり、ユーザに不快感を与えることを防止できる。【選択図】図２
2012249000.tif 000002
【特許請求の範囲】
【請求項１】
表示部と、ディジタル放送信号を受信して前記表示部に出力するディジタル放送受信部と、視聴覚コンテンツを再生する視聴覚コンテンツ再生部と、前記ディジタル放送受信部におけるディジタル放送信号の受信状態を監視する受信状態監視手段と、前記受信状態に基づいて前記受信信号を前記表示部に出力するテレビ視聴モードと前記視聴覚コンテンツ再生部によって前記視聴覚コンテンツを再生する視聴覚コンテンツ再生モードとを切替えるモード移行判定手段と、を備えるディジタル放送受信装置であって、更に、
前記受信状態監視手段によって検出される受信状態に基づいて受信エラー出現率を算出する受信率算出手段と、
前記視聴覚コンテンツ再生部における視聴覚コンテンツの再生状態を監視する視聴覚コンテンツ再生監視手段と、を備え、
前記モード移行判定手段は、前記受信率算出手段によって算出された受信エラー出現率が所定値以下であり、且つ前記視聴覚コンテンツ再生監視手段が再生中の前記視聴覚コンテンツの再生終了を検出した場合に前記視聴覚コンテンツ再生モードから前記テレビ視聴モードへ移行することを特徴とするディジタル放送受信装置。
【請求項２】
前記受信エラー出現率は、前記受信状態監視手段によって前記受信信号の符号誤り率を検出し、前記受信率算出手段により検出された符号誤り率が所定値以上であるときの回数をカウントすることによって算出されることを特徴とする請求項１に記載のディジタル放送受信装置。
【請求項３】
前記受信率算出手段は、前記視聴覚コンテンツ再生部において一つの視聴覚コンテンツの再生終了以前の所定期間における受信エラー出現率を算出することを特徴とする請求項１に記載のディジタル放送受信装置。
【請求項４】
前記視聴覚コンテンツ再生監視手段は、前記視聴覚コンテンツの再生終了の検出を、無音信号部分を検出することにより行うことを特徴とする請求項１〜３のいずれかに記載のディジタル放送受信装置。
【発明の詳細な説明】
【技術分野】
【０００１】
本発明は、ディジタル放送受信装置、特に、ディジタル放送信号の受信状況に応じてディジタル放送を受信出力するモードと他の視聴覚コンテンツを再生するモードとを切替える機能を備えたディジタル放送受信装置に関する。
【背景技術】
【０００２】
近年の車載用機器には、ディジタル放送を受信して出力する機能と、他の視聴覚コンテンツを再生する機能の両方を備えたものがある。例えば、地上ディジタル放送受信機能に加え、ＣＤ再生機能、ＤＶＤ再生機能の両方を備えているものである。こうした車載機器において、ディジタル放送を受信しながら山間部等を走行すると、短時間、時には長時間電波の受信状態が悪化することがある。電波の受信状態が悪化すると、ディジタル放送は正しく受信できず表示できなくなる。
【０００３】
上記の車載用機器の中には、電波の受信状態が悪化した際に、ディジタル放送を受信して出力するテレビ視聴モードから視聴覚コンテンツを再生する視聴覚コンテンツ再生モードへ移行し、電波の受信状態が回復した際に、視聴覚コンテンツ再生モードからテレビ視聴モードに復帰するものがある。これは、ディジタル放送を受信できない時にユーザに与える不快感を軽減することを目的としている。
【０００４】
放送信号の受信感度に基づいてソースを切替える装置の例を下記に説明する。下記特許文献１（特願２０００−２６１７３１号公報）は、放送信号の信号受信レベル、電界強度が所定時間以上継続して閾値を超えるか下回るかした場合、或いは所定サンプリング期間中の放送信号の受信レベルの平均値が閾値を超えるか下回る場合に、機能させるソース、例えばテレビチューナ、ナビゲーション装置、ＣＤ等の切替えを行う「移動体マルチメディアシステムの切替装置」を開示している。
【０００５】
また、下記特許文献２（特願２００５−５７３７１号公報）は、ＡＧＣ信号レベルの変化量、或いは受信データ中の同期コードのピーク値の量、受信データのエラー量（率）等に基づいてディジタルテレビ放送の受信状態が悪化したことを見極め、ラジオ放送やＣＤ／ＭＤプレーヤー等の別の入力源に切替えるようにした「テレビ受信装置」を開示している。この「テレビ受信装置」では、他の入力源からディジタルテレビ放送の受信に復帰する際に、ＣＤ／ＭＤプレーヤーの再生中にはその曲が終了した時点で復帰するようにしている。
【０００６】
また、下記特許文献３（特願２００８−８５４６４号公報）は、地上ディジタル放送の受信レベルが基準値より高い状態が、或いは低い状態が所定時間以上経過したか否かによって受信状態の悪化、回復を判断し、地上ディジタル放送と他のソースによる再生とを切替える「車載用映像・音響システム、プログラム」を開示している。なお、このシステムにおいては、地上ディジタル放送の受信レベルの高低は、信号のビット誤り発生率が基準値以下であるか否かに基づいて特定される。
【先行技術文献】
【特許文献】
【０００７】
［特許文献１］特開２０００−２６１７３１号公報
［特許文献２］特開２００５−５７３７１号公報
［特許文献３］特開２００８−８５４６４号公報
【発明の概要】
【発明が解決しようとする課題】
【０００８】
上記特許文献１の「移動体マルチメディアシステムの切替装置」はアナログ信号を受信している。アナログ放送を受信する場合、放送信号の受信状態の悪化は、ノイズとして画面に表われる。また、放送信号の受信状態が良好か悪いかは受信電波の電界の平均値を得ることで判断できる。一方、ディジタル放送の受信装置の場合は、受信信号の受信状態は符号誤り率（ＢＥＲ：Ｂｉｔ  Ｅｒｒｏｒ  Ｒａｔｅ）で判断される。ディジタル放送の受信装置の場合、符号誤り率が上昇すると、アナログ放送のように表示される画質に徐々にノイズが混ざるようになって次第に視認できなくなるのではなく、ブロックノイズとして現われ、ブロックノイズが多くなると、ある時点で突然画像が表示できなくなってしまう。そのために、ディジタル放送の受信状態を符号誤り率の平均値で求めることは適切ではない。
【０００９】
また、上記特許文献２の「テレビ受信装置」では、ディジタル放送信号を受信し、そのＡＧＣ信号レベルの変化量、同期コードのピーク値の検出量、受信データのエラー量（率）を受信状態の基準としているが、一時的に受信状態が悪化しただけですぐに受信状態が良好に戻るような場合は考慮されていない。上記の装置においては、ディジタル放送信号の受信状態が時々悪化するだけで受信状態がおおむね良好である場合でも、誤って受信状態が悪化しているとみなされて他の入力源に切替えられてしまう恐れがある。
【００１０】
また、上記特許文献３のように、符号誤り率が閾値よりも一定期間高いか否かを受信状態の基準とする場合であっても、一時的に受信状態が悪化してすぐに受信状態が良好に戻るような場合、或いは、時々受信状態が悪化するだけでおおむね受信状態が良好である場合に受信状態の判断のタイミングによっては間違って受信状態が悪いと判断されてしまう。
【００１１】
本発明は、上記の問題を解決することを目的としている。つまり、受信状態が悪化した場合に、ディジタル放送を受信して出力するテレビ視聴モードから他の視聴覚コンテンツを再生する視聴覚コンテンツ再生モードに移行し、受信状態がおおむね良好になった場合に、視聴覚コンテンツ再生モードからテレビ視聴モードに移行するディジタル放送受信装置において、ビルの谷間を移動している場合等、一時的な受信感度の悪化によって上記のモードが頻繁に切替わることを防止することを目的とし、さらに、ディジタル放送受信時のエラー出現率と再生中の視聴覚コンテンツの再生状況に基づいて上記のモードの移行の判定を行うことを目的とする。
【課題を解決するための手段】
【００１２】
上記の課題を解決するために、本発明のディジタル放送受信装置は、表示部と、ディジタル放送信号を受信して前記表示部に出力するディジタル放送受信部と、視聴覚コンテンツを再生する視聴覚コンテンツ再生部と、前記ディジタル放送受信部におけるディジタル放送信号の受信状態を監視する受信状態監視手段と、前記受信状態に基づいて前記受信信号を前記表示部に出力するテレビ視聴モードと前記視聴覚コンテンツ再生部によって前記視聴覚コンテンツを再生する視聴覚コンテンツ再生モードとを切替えるモード移行判定手段と、を備えるディジタル放送受信装置であって、更に、前記受信状態監視手段によって検出される受信状態に基づいて受信エラー出現率を算出する受信率算出手段と、前記視聴覚コンテンツ再生部における視聴覚コンテンツの再生状態を監視する視聴覚コンテンツ再生監視手段と、を備え、前記モード移行判定手段は、前記受信率算出手段によって算出された受信エラー出現率が所定値以下であり、且つ前記視聴覚コンテンツ再生監視手段が再生中の前記視聴覚コンテンツの再生終了を検出した場合に前記視聴覚コンテンツ再生モードから前記テレビ視聴モードへ移行することを特徴とする。
【００１３】
また、本発明のディジタル放送受信装置において、前記受信エラー出現率は、前記受信状態監視手段によって前記受信信号の符号誤り率を検出し、前記受信率算出手段が検出された符号誤り率が所定値以上であるときの回数をカウントすることによって算出される。
【００１４】
また、本発明のディジタル放送受信装置において、前記受信率算出手段は、前記視聴覚コンテンツ再生部において一つの視聴覚コンテンツの再生終了以前の所定期間における受信エラー出現率を算出することを特徴とする。
【００１５】
また、本発明のディジタル放送受信装置において、前記視聴覚コンテンツ再生監視手段は、前記視聴覚コンテンツの再生終了の検出を、無音信号部分を検出することにより行うことを特徴とする。
【発明の効果】
【００１６】
本発明のディジタル放送受信装置によれば、受信状態監視手段によって検出される受信信号の受信状態から受信エラー出現率を算出し、受信エラー出現率が所定値以下か所定値を越えているかを判断することによって、ディジタル放送の受信状態がおおむね良好か否かを判定している。受信エラー出現率を視聴覚コンテンツ再生モードからテレビ視聴モードへの復帰の判断基準とすることによって、時々ノイズが混入するとしても受信状態がおおむね良好であり、ユーザにとってそれほど不快感を与えない場合を識別して、視聴覚コンテンツ再生モードからテレビ視聴モードへ復帰することができる。
【００１７】
また、本発明は、ディジタル放送信号の受信エラー出現率が所定値以下であることに加え、視聴覚コンテンツ再生監視手段によって視聴覚コンテンツの再生状態を監視し、視聴覚コンテンツの再生終了時を視聴覚コンテンツ再生モードからテレビ視聴モードへの復帰タイミングとしている。これによって、視聴覚コンテンツの再生中の曲の途中でモードが切替わることを防止でき、曲の途中でモードが切替わってしまった場合のようにユーザに不快感を与えることを防止できる。さらに、テレビ視聴モードへ切替わった場合には受信状態がおおむね良好であるゆえにユーザは不快感を抱くことなくテレビを視聴できるようになる。
【００１８】
本発明の一態様によれば、受信エラー出現率は、ディジタル放送受信の符号誤り率を検出し、これが所定値以上であるときの回数をカウントすることを含んで算出される。受信信号の符号誤り率が所定値を超えるとディジタルテレビ放送は全く表示できなくなるので、この状態の出現率をカウントすることで、受信状態を適正に評価することが可能となる。
【００１９】
本発明の一態様によれば、再生中の視聴覚コンテンツの終了以前の所定期間における受信エラー出現率を算出している。これにより、再生されている一つの視聴覚コンテンツの後半で受信状態が良好になってきたような場合にも受信状態はおおむね回復したと判断してテレビ視聴モードに移行できるので、ユーザにとって不快感の少ない円滑なモード移行を実現することが可能となる。
【００２０】
本発明の一態様によれば、視聴覚コンテンツの再生終了の判断は、視聴覚コンテンツの無音信号部分を検出することによって容易に行うことができるようになる。
【図面の簡単な説明】
【００２１】
【図１】図１は実施例のディジタル放送受信装置の内部ブロック図である。
【図２】図２は実施例のディジタル放送受信装置において視聴覚コンテンツ再生モードからテレビ視聴モードへ移行する処理を示すフローチャートである。
【図３】図３は受信エラー出現率を算出する処理を示すフローチャートである。
【発明を実施するための形態】
【００２２】
以下、本願発明を実施するための最良の形態を図１〜図３を参照して詳細に説明する。ただし、以下に示す実施形態は、本発明の技術思想を具体化するためのディジタル放送受信装置を例示して説明するものであって、本発明をこのディジタル放送受信装置に特定することを意図するものではなく特許請求の範囲に示した技術思想を逸脱することなくその他のディジタル放送受信装置にも等しく適用し得るものである。
【実施例】
【００２３】
図１を参照して、本実施例のディジタル放送受信装置１０について説明する。なお、図１は実施例のディジタル放送受信装置１０の内部ブロック図である。ディジタル放送受信装置１０は、ディジタル放送受信部１１０、視聴覚コンテンツ再生部１２０、ＣＰＵ１３０、ＲＡＭ１４０、ＲＯＭ１５０、表示部１６０、パワーアンプ１７０、スピーカ１８０を備えて構成される。
ディジタル放送受信部１１０は、アンテナ１１１、ＤＴＶチューナ（ディジタルテレビチューナ）１１２、復調部１１３、フィルタ１１４、デコーダ１１５、Ｄ／Ａ変換部１１６を備えて構成される。
【００２４】
アンテナ１１１は、ディジタル放送信号を受信する。アンテナ１１１は、例えば、２本のロッドアンテナで構成することによってダイバーシティアンテナとして機能させる。これにより、ディジタル放送信号を感度よく受信できる。
【００２５】
ＤＴＶチューナ１１２は、アンテナ１１１で受信したディジタル放送信号に対してＣＰＵ１３０から所定の周波数データが送られることにより所定周波数チャンネルでの選局を行う。
【００２６】
復調部１１３は、ＤＴＶチューナ１１２から入力される選局された受信信号を復調する。また、受信信号に含まれる誤り訂正信号を抽出し、それに基づいて受信信号のエラー訂正を行って元のデータを再現及び合成し、トランスポートストリーム形式のパケット信号として出力する。また、復調部１１３はエラー訂正を行う際に定期的に符号誤り率（ＢＥＲ：Ｂｉｔ  Ｅｒｒｏｒ  Ｒａｔｅ）を出力する。
【００２７】
フィルタ１１４は、トランスポートストリーム形式のパケット信号から、オーディオデータ、ビデオデータ、他の情報を含むデータそれぞれ抽出する。これは、各パケットに付与されたパケット識別子を識別することによって可能となる。フィルタ１１４で抽出された各種データは、デコーダ１１５へ出力される。
【００２８】
デコーダ１１５は、図１では簡単のために１つだけしか図示されていないが、実際には、オーディオデコーダ、ビデオデコーダ、データデコーダから構成される。それぞれのデコーダは、抽出されたオーディオパケット信号、ビデオパケット信号、データパケット信号を復号化し、それぞれディジタルオーディオ信号、ディジタルビデオ信号、ディジタルデータ信号にする。
【００２９】
Ｄ／Ａ変換部１１６は、ディジタルオーディオデータ及びディジタルビデオデータをアナログ音声信号、アナログ映像信号に変換し、それぞれローパスフィルタ（図示せず）等を介して表示部１６０又はパワーアンプ１７０へ出力する。
【００３０】
視聴覚コンテンツ再生部１２０は、ＣＤ／ＤＶＤドライブ１２１と、ＣＤ／ＤＶＤドライブ１２１において再生されるＣＤやＤＶＤ等の視聴覚コンテンツのディジタル信号を復調し、Ｄ／Ａ変換して出力する。ＣＤ／ＤＶＤドライブ１２１において再生される視聴覚コンテンツのディジタル信号は、アナログオーディオ信号、アナログ映像信号としてパワーアンプ１７０を介してスピーカ１８０又は／及び表示部１６０に出力される。
【００３１】
ＣＰＵ１３０は、ディジタル放送受信装置１０の各部の機能の動作を制御・統括するとともに、以下の各手段として動作する。すなわち、受信状態監視手段１３１、受信率算出手段１３２、視聴覚コンテンツ再生監視手段１３３、モード移行判定手段１３４である。ＣＰＵ１３０はＲＡＭ１４０やＲＯＭ１５０に記憶された制御プログラムを実行することによって上記の各手段として動作する。
【００３２】
受信状態監視手段１３１は、ディジタル放送受信部１１０の復調部１１３におけるディジタル放送信号の受信状態を監視する。具体的には、ディジタル放送信号は、実際のディジタルデータを信号の誤りを検出して訂正できるように誤り訂正符号が追加されて符号化されており、復号化の際にこの誤り訂正符号に基づいてディジタルデータの誤りを検出することができる。復調部１１３は定期的、例えば１秒毎に符号誤り率を出力している。受信状態監視手段１３１は復調部１１３から出力されるこの符号誤り率を監視する。符号誤り率が２．０×１０-4以下の場合、受信状態が良好である。符号誤り率が０（エラーフリー）に近い程ブロックノイズ等がない状態で受信できる。逆に、符号誤り率が２．０×１０-4を超えると、エラーが多くなり、受信できない状態となる。そこで、受信状態監視手段１３１は、符号誤り率が２．０×１０-4以下の場合を「エラー無し」として出力し、符号誤り率が２．０×１０-4を超えた場合を「エラー有り」として出力する。
【００３３】
受信率算出手段１３２は、受信状態監視手段１３１から出力される「エラー有り」の出現頻度に基づいて受信エラー出現率を算出する。具体的には、所定期間中に、受信状態監視手段１３１から出力される「エラー有り」の数をカウントし、総エラー数を、カウントを行った総確認時間で序することによって受信エラー出現率を算出する。特に、本実施例においては、ＣＤ／ＤＶＤドライブ１２１において視聴覚コンテンツが１曲再生されている間、受信状態監視手段１３１から出力される「エラー有り」の数をカウントし、１曲の再生終了時において、総エラー数を総確認時間で除することにより、受信エラー出現率を算出する。
【００３４】
なお、受信率算出手段１３２が「エラー有り」の数をカウントする期間は、テレビ視聴モードにおいては、ユーザによって予め定められた所定期間であり、視聴覚コンテンツ再生モードにおいては、上記のようにＣＤ／ＤＶＤドライブ１２１において再生されている視聴覚コンテンツの１曲の始めから終了までの再生中全てにわたる期間であってもよいし、再生されている視聴覚コンテンツの１曲終了以前の所定期間であってもよい。さらに、受信率算出手段１３２が「エラー有り」の数をカウントする期間は、再生されている視聴覚コンテンツの曲終了前における１曲全体に対する予め設定された所定割合の期間であってもよい。例えば、曲の長さに対して５０％の期間と設定された場合、再生中の曲の長さが４分間であれば、受信率算出手段１３２は「エラー有り」の数を１曲終了前の２分間にわたってカウントする。これにより、再生される１曲の長さが長い場合には比較的長期間におけるエラー出現率をモード移行の基準とし、１曲の長さが短い場合には比較的短期間におけるエラー出現率をモード移行の基準とすることができ、ユーザにとってより自然なモード移行を実現できる。
【００３５】
また、受信エラー出現率は、「エラー有り」の総数を、総確認時間で除することによって求めてもよいし、受信状態監視手段１３１が符号誤り率を確認した総確認回数で除することによって求めてもよい。
【００３６】
視聴覚コンテンツ再生監視手段１３３は、視聴覚コンテンツ再生部１２０における視聴覚コンテンツの再生状態を監視する。具体的には、ＣＤ／ＤＶＤドライブ１２１において再生中の視聴覚コンテンツからポストギャップやプリギャップ等の無音信号部分を検出することにより、視聴覚コンテンツの１曲再生終了を識別する。
【００３７】
モード移行判定手段１３４は、ディジタル放送受信部１１０において受信されたディジタル放送信号を表示部１６０に出力して表示するテレビ視聴モードと、視聴覚コンテンツ再生部１２０において視聴覚コンテンツを再生してパワーアンプ１７０を介してスピーカ１８０或いは／及び表示部１６０に出力する視聴覚コンテンツ再生モードとを切替えるものである。
【００３８】
テレビ視聴モードにおいて、所定期間における受信エラー出現率が所定値を超えた場合に、ディジタル放送信号の受信状態が悪化していると判断し、モード移行判定手段１３４はディジタル放送受信部１１０における受信信号を表示部１６０やパワーアンプ１７０を介してスピーカ１８０に出力していたのを停止し、視聴覚コンテンツ再生部において再生されるＣＤやＤＶＤ等に保存されている視聴覚コンテンツの再生を開始し、その出力を、パワーアンプ１７０を介してスピーカ１８０に出力、又は／及び表示部１６０に出力する。（図１のスイッチＳ１、Ｓ２を、ディジタル放送受信部１１０側から視聴覚コンテンツ再生部１２０側に切替える。）
視聴覚コンテンツ再生モードにおいて、所定期間における受信エラー出現率が所定値以下であり、且つ視聴覚コンテンツ再生監視手段１３３が再生中の視聴覚コンテンツの再生終了を検出した場合に、視聴覚コンテンツの１曲が終了したタイミングであるとともにディジタル放送信号の受信状態がおおむね良好であると判断し、視聴覚コンテンツ再生モードからテレビ視聴モードへ移行する。（図１のスイッチＳ１、Ｓ２を、視聴覚コンテンツ再生部１２０側からディジタル放送受信部１１０側に切替える。）
ＲＡＭ１４０、ＲＯＭ１５０には制御プログラムが記憶され、この制御プログラムをＣＰＵ１３０において実行することによってディジタル放送受信装置の各部の動作を制御・統括する。
【００３９】
表示部１６０は、液晶ディスプレイ等で構成され、ディジタル放送受信部１１０又は視聴覚コンテンツ再生部１２０から出力されたアナログ映像信号を表示する。
【００４０】
パワーアンプ１７０は、ディジタル放送受信部１１０又は視聴覚コンテンツ再生部１２０から出力されたアナログオーディオ信号を増幅し、スピーカ１８０に出力する。スピーカ１８０は増幅されたアナログオーディオ信号を音声として出力する。
【００４１】
次に、図２を参照して、本実施例のディジタル放送受信装置１０における視聴覚コンテンツ再生モードとテレビ視聴モードとの移行処理について説明する。なお、図２は、実施例のディジタル放送受信装置において視聴覚コンテンツ再生モードからテレビ視聴モードへ移行する処理を示すフローチャートである。
【００４２】
図２のステップＳ２０１において、走行中の車両に搭載された本実施例のディジタル放送受信装置１０はテレビ視聴モードで動作している。テレビ視聴モードでは、図１のスイッチＳ１、Ｓ２はディジタル放送受信部１１０側に接続されている。そのため、ディジタル放送受信部１１０において受信されたディジタル放送信号はディジタル放送受信部１１０において処理された後、表示部１６０に、また、パワーアンプ１７０を介してスピーカ１８０に出力され、ユーザがディジタルテレビ放送を視聴することができる。
【００４３】
図２のステップＳ２０２において、復調部１１３は定期的、例えば１秒毎に符号誤り率を出力しているが、受信状態監視手段１３１がこの符号誤り率を監視し、符号誤り率が２．０×１０-4を超えた場合を「エラー有り」として出力する。受信率算出手段１３２は受信状態監視手段１３１から出力される「エラー有り」の出現頻度に基づいて受信エラー出現率を算出する。例えば、所定期間中、具体的には、直近の３０秒以内に受信状態監視手段１３１から出力された「エラー有り」の数をカウントし、総エラー数をカウントを行った総確認時間（３０秒）で序することによって受信エラー出現率を算出する。
【００４４】
ステップＳ２０３において、モード移行判定手段１３４は、算出された受信エラー出現率が所定値を超えているか否かを判定する。例えば、受信エラー出現率は２０％以下の場合にユーザにとって視認性が良好であるのに対し、２０％を超えると視認性は悪化し、５０％程度になると不快と感じられることから、受信エラー出現率２０％超の場合に、モード移行判定手段１３４は受信状態が悪化したと判断する。車両が山間部等を走行すると、ディジタル放送信号を受信しにくくなり、受信エラー出現率は２０％を超える。受信エラー出現率が所定値を超えた場合、処理はステップＳ２０４に進む。受信エラー出現率が２０％以下の場合、モード移行判定手段１３４は受信状態が悪化していないと判断し、ステップＳ２０２の処理に戻り、受信状態の監視を継続する。
【００４５】
ステップＳ２０４において、モード移行判定手段１３４は図１のスイッチＳ１、Ｓ２をディジタル放送受信部１１０側から視聴覚コンテンツ再生部１２０側に切替えるとともに、ＣＰＵ１３０から視聴覚コンテンツ再生部１２０に対して視聴覚コンテンツの再生指示を行う。視聴覚コンテンツ再生部１２０においては、ＣＤ／ＤＶＤドライブ１２１がＣＤ或いはＤＶＤの１曲再生を行い、出力されたアナログオーディオ信号やアナログ映像信号はパワーアンプ１７０を介してスピーカ１８０、又は／及び表示部１６０に出力される。
【００４６】
ステップＳ２０５において、視聴覚コンテンツ再生部１２０によって視聴覚コンテンツを１曲再生している間に、受信状態監視手段１３１は、ディジタル放送受信部１１０におけるディジタル放送受信時の符号誤り率の監視を継続し、符号誤り率が２．０×１０-4を超えた場合を「エラー有り」として出力する。
【００４７】
ステップＳ２０６において、受信率算出手段１３２は受信状態監視手段１３１によって出力される「エラー有り」の数をカウントする。
【００４８】
ステップＳ２０７において、視聴覚コンテンツ再生監視手段１３３は視聴覚コンテンツ再生部１２０における視聴覚コンテンツの再生状況、つまり、１曲再生中か１曲再生終了かを判定する。具体的には、ＣＤ／ＤＶＤドライブ１２１においてＣＤを再生している場合に、再生中の曲に含まれるポストギャップやプリギャップ等の無音信号部分を検出した場合に１曲再生終了と判断する。又は、ＣＤやＤＶＤの楽曲データに含まれる演奏時間等のデータと再生時間とを比較することによって１曲再生終了を判断しても良い。１曲の再生が終了していないと判断した場合は、ステップＳ２０５の処理に戻り、１曲の再生が終了したと判断した場合は、ステップＳ２０８の処理に進む。
【００４９】
ステップＳ２０８において、受信率算出手段１３２は、１曲再生中、或いは１曲終了以前の所定期間に受信状態監視手段１３１から出力された「エラー有り」の出現頻度に基づいて受信エラー出現率を算出する。つまり、受信エラー出現率は、カウントされた「エラー有り」のカウント数を総確認時間で除することによって算出される。受信エラー出現率は、「エラー有り」の総カウント数をＡ、総確認時間をＺとした場合、次の（１）式で表される。
【００５０】
受信エラー出現率（％）＝（Ａ／Ｚ）×１００                  （１）
なお、受信エラー出現率は、「エラー有り」の総数を、受信状態監視手段１３１が符号誤り率を確認した総確認回数で序することによって算出するようにしてもよい。
【００５１】
ステップＳ２０９において、モード移行判定手段１３４は、算出された受信エラー出現率が所定値以下か否かを判定する。すなわち、受信エラー出現率が２０％以下の場合に受信状態が改善されたと判断し、ステップＳ２１０の処理に進む。受信エラー出現率が２０％超の場合は、受信状態は改善されていないと判断し、ステップＳ２０５の処理に戻るとともに、視聴覚コンテンツ再生部１２０は次の一曲を再生する。
【００５２】
ステップＳ２１０において、受信状態監視手段１３１はディジタル放送受信部１１０から出力される符号誤り率に基づき、現時点でディジタル放送信号が受信可能な状態であるか否かを判定する。これも符号誤り率が所定値、例えば、２．０×１０-4以下である場合に受信可能であると判定し、ステップＳ２１１に進む。符号誤り率が所定値超の場合は受信不可能であるとし、ステップＳ２０５の処理に戻るとともに視聴覚コンテンツ再生部１２０は次の一曲を再生する。
【００５３】
ステップＳ２１１において、モード移行判定手段１３４は図１のスイッチＳ１、Ｓ２を視聴覚コンテンツ再生部１２０側からディジタル放送受信部１１０側に切替えることにより、テレビ視聴モードに切替える。テレビ視聴モードにおいて、ディジタル放送受信部１１０において受信されたディジタル放送信号は、ディジタル放送受信部１１０において処理されて表示部１６０に、また、パワーアンプ１７０を介してスピーカ１８０に出力される。
【００５４】
図３を参照して、本実施例における受信エラー出現率の算出方法について説明する。なお、図３は受信エラー出現率を算出する処理を示すフローチャートである。
【００５５】
ステップＳ３０１において、受信率算出手段１３２は受信エラー出現率の算出のために使用する変数、具体的には、エラー出現数Ａ、総確認時間Ｚの初期化を行う。
【００５６】
ステップＳ３０２において、受信状態監視手段１３１はディジタル放送受信部１１０の復調部１１３から出力される符号誤り率を取得する。
【００５７】
ステップＳ３０３において、総確認時間をカウントアップする。符号誤り率をＸ秒毎に監視する場合、総確認時間Ｚは（Ｚ＝Ｚ＋Ｘ）で求めることができる。なお、本実施例では、符号誤り率は１秒毎に取得することとする。
【００５８】
ステップＳ３０４において、受信状態監視手段１３１は復調部１１３から取得した符号誤り率が所定値を超えたか否かを判定することにより、エラーが出現したか否かを判定する。本実施例では、符号誤り率が２．０×１０-4超えた場合、「エラー有り」として出力し、ステップＳ３０５に進む。符号誤り率が２．０×１０-4以下である場合、ステップＳ３０６に進む。
【００５９】
ステップＳ３０５において、受信率算出手段１３２はエラー出現数をカウントアップする。エラー出現数Ａは、符号誤り率をＸ秒毎に監視した場合、（Ａ＝Ａ＋Ｘ）で求めることができる。
【００６０】
ステップＳ３０６において、視聴覚コンテンツ再生監視手段１３３は、視聴覚コンテンツ再生部１２０からの出力に基づいて、再生中の視聴覚コンテンツが１曲終了したか否かを判定する。１曲再生が終了していなければ、ステップＳ３０２に戻り、受信状態監視手段１３１は受信状態の監視を継続して行う。
【００６１】
１曲再生が終了した場合は、ステップＳ３０７の処理に進み、受信率算出手段１３２が１曲再生中の受信エラー出現率を算出する。受信エラー出現率は、次の（１）式で表される。
【００６２】
受信エラー出現率（％）＝（Ａ／Ｚ）×１００                  （１）
（１）式によって算出された受信エラー出現率、及び視聴覚コンテンツの１曲再生終了に基づいてモード移行判定手段１３４は視聴覚コンテンツ再生モードからテレビ視聴モードへの復帰の判断を行う。
【００６３】
なお、上述のステップＳ３０２の処理は図２のステップＳ２０５の処理に対応し、ステップＳ３０３〜ステップＳ３０５の処理は図２のステップＳ２０６の処理に対応し、ステップＳ３０６の処理は図２のステップＳ２０７に対応し、ステップＳ３０７は図２のステップＳ２０８に対応する。
【００６４】
上記には、ディジタル放送の受信状態を符号誤り率が所定値を超えた場合を「エラー有り」と判断した場合について説明したが、本発明はこれに限られず、例えば、ディジタル放送信号のＣＮ比と基準値とを比較し、基準値未満である場合を「エラー有り」として受信エラー出現率を算出してもよい。
【００６５】
なお、上記実施例においては、視聴覚コンテンツ再生部１２０において再生される視聴覚コンテンツはＣＤ又はＤＶＤに記録された音楽コンテンツであり、音楽を１曲再生し終わった時点でそれまでのディジタル放送信号の受信状態がおおむね良好であるか判定し、テレビ視聴モードに復帰する例について説明したが、本発明は上記の場合に限られない。視聴覚コンテンツ再生部１２０において再生される視聴覚コンテンツは、ＤＶＤ等の動画（映画等）であってもよい。この場合、所定期間におけるディジタル放送の受信状態が良好になったと判断された時点で、表示部１６０にポップアップ等でテレビ視聴モードに切り替えるか否かを問うメッセージを表示するようにしてもよい。このようにすれば、視聴中の映画が途中で中断するのを防ぐことが可能となる。
【符号の説明】
【００６６】
１０    ディジタル放送受信装置
１１０    ディジタル放送受信部
１１１    アンテナ
１１２    ＤＴＶチューナ
１１３    復調部
１１４    フィルタ
１１５    デコーダ
１１６    Ｄ／Ａ変換部
１２０    視聴覚コンテンツ再生部
１２１    ＣＤ／ＤＶＤドライブ
１３１    受信状態監視手段
１３２    受信率算出手段
１３３    視聴覚コンテンツ再生監視手段
１３４    モード移行判定手段
１４０    ＲＡＭ
１５０    ＲＯＭ
１６０    表示部
１７０    パワーアンプ
１８０    スピーカ
【図１】
2012249000.tif 000003
【図２】
2012249000.tif 000004
【図３】
2012249000.tif 000005